(57)【要約】【課題】電源切り替えによって異なる機能を実行可能とした構成を提供する。【解決手段】例えば内部バッテリによる電力供給と、ＵＳＢを介する外部機器からの電力供給など、複数の異なる電力供給源を切り替えて動作可能な情報処理装置において、電力供給源の切り替えを検出して、電力供給源の切り替えに基づいて装置の実行機能を変更する構成とした。本構成により１つの装置によって複数の異なる機能を実現することが可能となる。また、例えばバッテリ駆動の際には動作周波数を低くする設定としたのでバッテリ寿命を長くすることが可能となる。【選択図】図１
2007226412.tif 000002
【特許請求の範囲】
【請求項１】
複数の異なる電力供給源を切り替え可能とした構成を持つ情報処理装置であり、
電力供給源の切り替えを検出する電力供給源検出部と、
前記電力供給源検出部における電力供給源の変更検出に基づいてデータ処理実行部における実行機能を変更する実行機能制御部と、
前記実行機能制御部の制御に基づいて実行機能を変更するデータ処理実行部と、
を有することを特徴とする情報処理装置。
【請求項２】
前記情報処理装置は、さらに、
前記電力供給源検出部における電力供給源の変更検出に基づいて前記データ処理実行部における動作周波数の変更処理を行なう動作周波数制御部を有することを特徴とする請求項１に記載の情報処理装置。
【請求項３】
前記動作周波数制御部は、
電力供給源が、電池（バッテリ）である場合には、前記データ処理実行部における動作周波数を、電力供給源がＡＣ電源または外部機器である場合より低く設定する制御を行なうことを特徴とする請求項２に記載の情報処理装置。
【請求項４】
前記複数の電力供給源の少なくとも１つはデータ入出力機能を持つインタフェースを介して接続された外部機器から供給される電力であることを特徴とする請求項１に記載の情報処理装置。
【請求項５】
前記複数の電力供給源の少なくとも１つはＵＳＢケーブルを介して接続された外部機器から供給される電力であることを特徴とする請求項１に記載の情報処理装置。
【請求項６】
前記情報処理装置は、
データ記憶部を有し、
前記実行機能制御部は、
電力供給源の変更検出に基づく前記データ処理実行部の実行機能の切り替え制御として、
情報処理装置固有の機能に基づいて取得されるデータを前記データ記憶部に記録する処理を行なう第１機能と、
前記データ記憶部に対する外部接続機器からのアクセスを許容する第２機能と、
の切り替え制御を行う構成であることを特徴とする請求項１に記載の情報処理装置。
【請求項７】
前記情報処理装置は、
ＧＰＳ衛星からの航法データを受信する受信部を有し、
前記データ処理部は、情報処理装置のインタフェースを介する外部機器からの電力供給がない状態において、前記受信部を介する航法データに基づく位置情報の算出を実行し、算出位置情報を情報処理装置の記憶部に記録する処理を実行する構成であることを特徴とする請求項１に記載の情報処理装置。
【請求項８】
前記情報処理装置は、
音声データまたは画像データの取得処理を実行するデータ入力部を有し、
前記データ処理部は、情報処理装置のインタフェースを介する外部機器からの電力供給がない状態において、前記データ入力部を介して入力される音声データまたは画像データを記憶部に記録する処理を実行する構成であることを特徴とする請求項１に記載の情報処理装置。
【請求項９】
インタフェースを介する外部機器からの電力供給と、内部バッテリからの電力供給との異なる電力供給源を切り替え可能とした構成を持つＧＰＳ装置であり、
ＧＰＳ衛星からの航法データを受信する受信部と、
電力供給源の切り替えを検出する電力供給源検出部と、
前記電力供給源検出部における電力供給源の変更検出に基づいてデータ処理実行部における実行機能を変更する実行機能制御部と、
前記実行機能制御部の制御に基づいて実行機能を変更するデータ処理実行部とを有し、
前記データ処理部は、内部バッテリからの電力供給状態では、前記受信部を介する航法データに基づく位置情報の算出を実行し、算出位置情報を情報処理装置の記憶部に記録する処理を実行し、前記インタフェースを介する外部機器からの電力供給状態では、前記インタフェースを介する外部機器による記憶部のアクセス処理制御を実行する構成であることを特徴とするＧＰＳ装置。
【請求項１０】
前記ＧＰＳ装置は、さらに、
前記電力供給源検出部における電力供給源の変更検出に基づいて前記データ処理実行部における動作周波数の変更処理を行なう動作周波数制御部を有し、
前記動作周波数制御部は、
内部バッテリからの電力供給状態においては、インタフェースを介する外部機器からの電力供給状態よりも低い動作周波数の設定処理を行なう構成であることを特徴とする請求項９に記載のＧＰＳ装置。
【請求項１１】
複数の異なる電力供給源を切り替え可能とした構成を持つ情報処理装置における情報処理方法であり、
電力供給源検出部において、電力供給源の切り替えを検出する電力供給源検出ステップと、
実行機能制御部において、前記電力供給源検出部における電力供給源の変更検出に基づいてデータ処理実行部における実行機能を変更する実行機能制御ステップと、
データ処理実行部において、前記実行機能制御部の制御に基づいて実行機能を変更してデータ処理を実行するデータ処理実行ステップと、
を有することを特徴とする情報処理方法。
【請求項１２】
前記情報処理方法は、さらに、
動作周波数制御部において、前記電力供給源検出部における電力供給源の変更検出に基づいて前記データ処理実行部における動作周波数の変更処理を行なう動作周波数制御ステップを有することを特徴とする請求項１１に記載の情報処理方法。
【請求項１３】
前記動作周波数制御ステップは、
電力供給源が、電池（バッテリ）である場合には、前記データ処理実行部における動作周波数を、電力供給源がＡＣ電源または外部機器である場合より低く設定する制御を行なうことを特徴とする請求項１２に記載の情報処理方法。
【請求項１４】
前記複数の電力供給源の少なくとも１つはデータ入出力機能を持つインタフェースを介して接続された外部機器から供給される電力であることを特徴とする請求項１１に記載の情報処理方法。
【請求項１５】
前記複数の電力供給源の少なくとも１つはＵＳＢケーブルを介して接続された外部機器から供給される電力であることを特徴とする請求項１１に記載の情報処理方法。
【請求項１６】
前記情報処理装置は、データ記憶部を有し、
前記実行機能制御ステップは、
電力供給源の変更検出に基づく前記データ処理実行部の実行機能の切り替え制御として、
情報処理装置固有の機能に基づいて取得されるデータを前記データ記憶部に記録する処理を行なう第１機能と、
前記データ記憶部に対する外部接続機器からのアクセスを許容する第２機能と、
の切り替え制御を行うステップであることを特徴とする請求項１１に記載の情報処理方法。
【請求項１７】
前記情報処理装置は、
ＧＰＳ衛星からの航法データを受信する受信部を有し、
前記データ処理ステップは、情報処理装置のインタフェースを介する外部機器からの電力供給がない状態において、前記受信部を介する航法データに基づく位置情報の算出を実行し、算出位置情報を情報処理装置の記憶部に記録する処理を実行するステップであることを特徴とする請求項１１に記載の情報処理方法。
【請求項１８】
前記情報処理装置は、
音声データまたは画像データの取得処理を実行するデータ入力部を有し、
前記データ処理ステップは、情報処理装置のインタフェースを介する外部機器からの電力供給がない状態において、前記データ入力部を介して入力される音声データまたは画像データを記憶部に記録する処理を実行するステップであることを特徴とする請求項１１に記載の情報処理方法。
【請求項１９】
複数の異なる電力供給源を切り替え可能とした構成を持つ情報処理装置において情報処理を実行させるコンピュータ・プログラムであり、
電力供給源検出部において、電力供給源の切り替えを検出させる電力供給源検出ステップと、
実行機能制御部において、前記電力供給源検出部における電力供給源の変更検出に基づいてデータ処理実行部における実行機能を変更させる実行機能制御ステップと、
データ処理実行部において、前記実行機能制御部の制御に基づいて実行機能を変更してデータ処理を実行させるデータ処理実行ステップと、
を実行させることを特徴とするコンピュータ・プログラム。
【発明の詳細な説明】
【技術分野】
【０００１】
本発明は、情報処理装置、ＧＰＳ装置、および情報処理方法、並びにコンピュータ・プログラムに関する。さらに詳細には、電力供給源の切り替えに基づいて異なる機能を実行する構成を持つ情報処理装置、ＧＰＳ装置、および情報処理方法、並びにコンピュータ・プログラムに関する。
【背景技術】
【０００２】
電気製品には、ＡＣ電源やバッテリ（電池）など複数の異なる電力供給源を切り替え可能とした構成を持つものが多い。しかし、従来の電気製品はラジカセにしてもテレビにしても供給電源の種類を変更しても、その装置において実行する機能を変更することなく同一の機能を実現する。例えば、ＣＤラジカセはＡＣ電源のコンセントから電源を供給しても乾電池で電源を供給してもラジオ番組、あるいはＣＤやテープを駆動させることで音声データの出力を行なうという同一の機能を提供する。電気カミソリにしても電源によって機能が変わるというようなことはない。
【０００３】
ただし、供給電力の種類に応じて機能を制限する構成については、例えば特許文献１に記載されている。特許文献１には、ＡＣ電源またはＵＳＢ端子を介して供給される電力によって処理を実行する装置において、ＵＳＢ端子を介する電力供給が行なわれる場合には、ＡＣ電源によって実行可能な機能の一部を実行可能とする装置構成を示している。
【０００４】
特許文献１に記載の構成は、具体的にはＵＳＢインタフェースを有するマルチファンクション装置およびその制御方法に関する構成である。ＡＣ電源ラインがＡＣ電源に接続されている状態では、マルチファンクション装置における全機能を動作可能とし、ＡＣ電源ラインがＡＣ電源に非接続状態でもＵＳＢインタフェースがＰＣに接続されていれば、ＰＣから供給される５Ｖ、５００ｍＡの電力を使用し、制限された動作を可能にした装置構成を開示している。
【０００５】
この特許文献１に記載の構成は、供給電力のパワーが限定されるための処置として機能制限を行なう構成である。このような供給電力のパワー低減に対する対応策として、特許文献２は、マイクロコンピュータのようにクロック信号に同期した処理制御が行われる装置において、動作クロック信号の周波数を必要に応じて切り換える構成を開示している。すなわち、供給電力がパワー不足である場合、動作周波数を変更して低周波数クロックに従った動作を実行するように切り替えることによって低消費電力化を図り、供給電力の低減に対応する構成を開示している。
【０００６】
また、特許文献３は、外部から供給される電源電圧とクロック信号周波数とを内蔵レジスタの設定値によって変更し、低消費電力化を図るようにしたマイクロコンピュータを記載している。さらに、特許文献４には、電源電圧の状態に応じて逓倍クロックの逓倍数を可変して、マイクロコンピュータの消費電力を抑える技術が記載されている。
【０００７】
これら特許文献２〜４に記載の技術はすべて消費電力を抑えることを目的としており、供給電力源や周波数を切り換えることによって、装置に異なる機能を実行させる構成ではない。特許文献１に記載の構成は、ＵＳＢによる電力供給時に実行可能な機能を制限する構成であり、電力供給源の切り替えによって異なる機能を実行可能としたものではない。
【特許文献１】特開２００５−２７７５０９号公報
【特許文献２】特開平３−６８００７号公報
【特許文献３】特開平５−１０８１９３号公報
【特許文献４】特開平１０―４１７９３号公報
【発明の開示】
【発明が解決しようとする課題】
【０００８】
本発明は、電力供給源を切り替えて動作可能な情報処理装置において、電力供給源の切り替えに応じて異なる機能を実行可能とすることで、１つの装置によって複数の異なる機能を実現することを可能とした情報処理装置、ＧＰＳ装置、および情報処理方法、並びにコンピュータ・プログラムを提供することを目的とする。
【課題を解決するための手段】
【０００９】
本発明の第１の側面は、
複数の異なる電力供給源を切り替え可能とした構成を持つ情報処理装置であり、
電力供給源の切り替えを検出する電力供給源検出部と、
前記電力供給源検出部における電力供給源の変更検出に基づいてデータ処理実行部における実行機能を変更する実行機能制御部と、
前記実行機能制御部の制御に基づいて実行機能を変更するデータ処理実行部と、
を有することを特徴とする情報処理装置にある。
【００１０】
さらに、本発明の情報処理装置の一実施態様において、前記情報処理装置は、さらに、前記電力供給源検出部における電力供給源の変更検出に基づいて前記データ処理実行部における動作周波数の変更処理を行なう動作周波数制御部を有することを特徴とする。
【００１１】
さらに、本発明の情報処理装置の一実施態様において、前記動作周波数制御部は、電力供給源が、電池（バッテリ）である場合には、前記データ処理実行部における動作周波数を、電力供給源がＡＣ電源または外部機器である場合より低く設定する制御を行なうことを特徴とする。
【００１２】
さらに、本発明の情報処理装置の一実施態様において、前記複数の電力供給源の少なくとも１つはデータ入出力機能を持つインタフェースを介して接続された外部機器から供給される電力であることを特徴とする。
【００１３】
さらに、本発明の情報処理装置の一実施態様において、前記複数の電力供給源の少なくとも１つはＵＳＢケーブルを介して接続された外部機器から供給される電力であることを特徴とする。
【００１４】
さらに、本発明の情報処理装置の一実施態様において、前記情報処理装置は、データ記憶部を有し、前記実行機能制御部は、電力供給源の変更検出に基づく前記データ処理実行部の実行機能の切り替え制御として、情報処理装置固有の機能に基づいて取得されるデータを前記データ記憶部に記録する処理を行なう第１機能と、前記データ記憶部に対する外部接続機器からのアクセスを許容する第２機能と、の切り替え制御を行う構成であることを特徴とする。
【００１５】
さらに、本発明の情報処理装置の一実施態様において、前記情報処理装置は、ＧＰＳ衛星からの航法データを受信する受信部を有し、前記データ処理部は、情報処理装置のインタフェースを介する外部機器からの電力供給がない状態において、前記受信部を介する航法データに基づく位置情報の算出を実行し、算出位置情報を情報処理装置の記憶部に記録する処理を実行する構成であることを特徴とする。
【００１６】
さらに、本発明の情報処理装置の一実施態様において、前記情報処理装置は、音声データまたは画像データの取得処理を実行するデータ入力部を有し、前記データ処理部は、情報処理装置のインタフェースを介する外部機器からの電力供給がない状態において、前記データ入力部を介して入力される音声データまたは画像データを記憶部に記録する処理を実行する構成であることを特徴とする。
【００１７】
さらに、本発明の第２の側面は、
インタフェースを介する外部機器からの電力供給と、内部バッテリからの電力供給との異なる電力供給源を切り替え可能とした構成を持つＧＰＳ装置であり、
ＧＰＳ衛星からの航法データを受信する受信部と、
電力供給源の切り替えを検出する電力供給源検出部と、
前記電力供給源検出部における電力供給源の変更検出に基づいてデータ処理実行部における実行機能を変更する実行機能制御部と、
前記実行機能制御部の制御に基づいて実行機能を変更するデータ処理実行部とを有し、
前記データ処理部は、内部バッテリからの電力供給状態では、前記受信部を介する航法データに基づく位置情報の算出を実行し、算出位置情報を情報処理装置の記憶部に記録する処理を実行し、前記インタフェースを介する外部機器からの電力供給状態では、前記インタフェースを介する外部機器による記憶部のアクセス処理制御を実行する構成であることを特徴とするＧＰＳ装置にある。
【００１８】
さらに、本発明のＧＰＳ装置の一実施態様において、前記ＧＰＳ装置は、さらに、前記電力供給源検出部における電力供給源の変更検出に基づいて前記データ処理実行部における動作周波数の変更処理を行なう動作周波数制御部を有し、前記動作周波数制御部は、内部バッテリからの電力供給状態においては、インタフェースを介する外部機器からの電力供給状態よりも低い動作周波数の設定処理を行なう構成であることを特徴とする。
【００１９】
さらに、本発明の第３の側面は、
複数の異なる電力供給源を切り替え可能とした構成を持つ情報処理装置における情報処理方法であり、
電力供給源検出部において、電力供給源の切り替えを検出する電力供給源検出ステップと、
実行機能制御部において、前記電力供給源検出部における電力供給源の変更検出に基づいてデータ処理実行部における実行機能を変更する実行機能制御ステップと、
データ処理実行部において、前記実行機能制御部の制御に基づいて実行機能を変更してデータ処理を実行するデータ処理実行ステップと、
を有することを特徴とする情報処理方法にある。
【００２０】
さらに、本発明の情報処理方法の一実施態様において、前記情報処理方法は、さらに、動作周波数制御部において、前記電力供給源検出部における電力供給源の変更検出に基づいて前記データ処理実行部における動作周波数の変更処理を行なう動作周波数制御ステップを有することを特徴とする。
【００２１】
さらに、本発明の情報処理方法の一実施態様において、前記動作周波数制御ステップは、電力供給源が、電池（バッテリ）である場合には、前記データ処理実行部における動作周波数を、電力供給源がＡＣ電源または外部機器である場合より低く設定する制御を行なうことを特徴とする。
【００２２】
さらに、本発明の情報処理方法の一実施態様において、前記複数の電力供給源の少なくとも１つはデータ入出力機能を持つインタフェースを介して接続された外部機器から供給される電力であることを特徴とする。
【００２３】
さらに、本発明の情報処理方法の一実施態様において、前記複数の電力供給源の少なくとも１つはＵＳＢケーブルを介して接続された外部機器から供給される電力であることを特徴とする。
【００２４】
さらに、本発明の情報処理方法の一実施態様において、前記情報処理装置は、データ記憶部を有し、前記実行機能制御ステップは、電力供給源の変更検出に基づく前記データ処理実行部の実行機能の切り替え制御として、情報処理装置固有の機能に基づいて取得されるデータを前記データ記憶部に記録する処理を行なう第１機能と、前記データ記憶部に対する外部接続機器からのアクセスを許容する第２機能と、の切り替え制御を行うステップであることを特徴とする。
【００２５】
さらに、本発明の情報処理方法の一実施態様において、前記情報処理装置は、ＧＰＳ衛星からの航法データを受信する受信部を有し、前記データ処理ステップは、情報処理装置のインタフェースを介する外部機器からの電力供給がない状態において、前記受信部を介する航法データに基づく位置情報の算出を実行し、算出位置情報を情報処理装置の記憶部に記録する処理を実行するステップであることを特徴とする。
【００２６】
さらに、本発明の情報処理方法の一実施態様において、前記情報処理装置は、音声データまたは画像データの取得処理を実行するデータ入力部を有し、前記データ処理ステップは、情報処理装置のインタフェースを介する外部機器からの電力供給がない状態において、前記データ入力部を介して入力される音声データまたは画像データを記憶部に記録する処理を実行するステップであることを特徴とする。
【００２７】
さらに、本発明の第４の側面は、
複数の異なる電力供給源を切り替え可能とした構成を持つ情報処理装置において情報処理を実行させるコンピュータ・プログラムであり、
電力供給源検出部において、電力供給源の切り替えを検出させる電力供給源検出ステップと、
実行機能制御部において、前記電力供給源検出部における電力供給源の変更検出に基づいてデータ処理実行部における実行機能を変更させる実行機能制御ステップと、
データ処理実行部において、前記実行機能制御部の制御に基づいて実行機能を変更してデータ処理を実行させるデータ処理実行ステップと、
を実行させることを特徴とするコンピュータ・プログラムにある。
【００２８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００３０】
本発明の一実施例の構成によれば、例えば内部バッテリによる電力供給と、ＵＳＢを介する外部機器からの電力供給など、複数の異なる電力供給源を切り替えて動作可能な情報処理装置において、電力供給源の切り替えを検出して、電力供給源の切り替えに基づいて装置の実行機能を変更する構成としたので、１つの装置によって複数の異なる機能を実現することが可能となる。また、本発明の一実施例構成においては、例えばバッテリ駆動の際には動作周波数を低くする設定としたのでバッテリ寿命を長くすることが可能となる。
【発明を実施するための最良の形態】
【００３１】
以下、図面を参照しながら、本発明の情報処理装置、ＧＰＳ装置、および情報処理方法、並びにコンピュータ・プログラムの詳細について説明する。
【００３２】
まず、図１を参照して本発明の情報処理装置の一実施例構成について説明する。図１は、本発明の情報処理装置の一構成例を示している。情報処理装置は、電源部１３１を介して電力の供給を受けることが可能であり、さらに、たとえばＰＣなどの外部機器１３２からインタフェース（Ｉ／Ｆ）１２３を介して電力の供給を受けることが可能な構成を持つ。すなわち異なる複数の電力供給源の切り替えが可能な構成である。
【００３３】
電源部１３１は、例えばＡＣ電源、電池（バッテリー）などの電源であり、インタフェース（Ｉ／Ｆ）１２３は、例えばＵＳＢケーブルやｉ−ＬＩＮＫなどを接続するインタフェースであり、データの入出力に利用されるとともに電力を入力する。すなわち、インタフェース（Ｉ／Ｆ）１２３は、情報処理装置１００と外部機器１３２間のデータ入出力インタフェースとしても機能する。
【００３４】
電源部１３１からの入力電圧は、第１入力電圧制御部１２１において予め定められた規定電圧に変換される。一方、Ｉ／Ｆ１２３からの入力電圧も第２入力電圧制御部１２２において予め定められた規定電圧に変換される。第１入力電圧制御部１２１は例えばＤＣＤＣコンバータであり、第２入力電圧制御部１２２は、レキュレータ（ＲＥＧ）などによって構成可能である。
【００３５】
装置機能実行部１１０は、電源部１３１または、外部機器１３２、Ｉ／Ｆ１２３を介する電力供給によってデータ処理を実行するデータ処理部１１１、記憶部１１２、受信部１１３を有する。なお、図に示す装置機能実行部１１０の構成は一例であり、情報処理装置１００の機能によって様々な構成が可能である。データ処理部１１１は例えばＣＰＵ，ＲＡＭ，ＲＯＭ等のハードウェアによって構成され、予め装置に記憶されたプログラムに従って様々なデータ処理を実行する。
【００３６】
データ処理部１１１は、複数の電力供給源のどこから電力を供給されているかを検出して、実行する処理を変更する構成を持つ。データ処理部１１１の機能構成について、図２を参照して説明する。データ処理部１１１は、図２に示すように、電力供給源検出部２０１、制御部２０２、データ処理実行部２０３、発振子（クロック）２０４を有する。制御部２０２は、実行機能制御部２１１、動作周波数制御部２１２を有する。なお、制御部２０２、データ処理実行部２０３は、ＣＰＵ，ＲＡＭ，ＲＯＭ等のハードウェアを含み、図２に示す実行機能制御部２１１、動作周波数制御部２１２の処理は、これらのハードウェアを適用した処理プログラムの実行を伴う処理である。
【００３７】
電力供給源検出部２０１は、外部機器１３２の接続されたインタフェース（Ｉ／Ｆ）１２３からの出力を検出し、インタフェース（Ｉ／Ｆ）１２３に対する外部機器１３２からの電力供給の有無を判定する。この判定情報は、制御部２０２に通知され、制御部２０２の実行機能制御部２１１は、この通知に基づいて、データ処理実行部２０３において実行する処理機能を変更する。
【００３８】
すなわち、図１に示す電源部１３１からの電力供給が行なわれデータ処理実行部２０３において、ある機能に対応する処理が実行中である場合でも、外部機器１３２、Ｉ／Ｆ１２３を介する電力供給が開始されたことを検出すると、データ処理実行部２０３における実行中の処理を停止して異なる処理を実行可能とする処理モード変更を実行する。
【００３９】
また、動作周波数制御部２１２は、発振子（クロック）２０４を入力してデータ処理実行部２０３の動作周波数を制御する。動作周波数制御部２１２は、外部機器１３２を介する電力供給が開始されたことが検出されると、データ処理実行部２０３の動作周波数を変更する。
【００４０】
すなわち、図１に示す電源部１３１からの電力供給が行なわれている状態におけるデータ処理実行部２０３の動作周波数と、外部機器１３２を介する電力供給が行なわれている状態におけるデータ処理実行部２０３の動作周波数とを異なる動作周波数に設定する。動作周波数制御部２１２は、例えば電力供給源が、電池（バッテリ）である場合には、データ処理実行部２０３における動作周波数を、電力供給源がＡＣ電源または外部機器である場合より低く設定する制御を行なう。
【００４１】
例えば、図１に示す電源部１３１が電池（バッテリ）である場合、電源部１３１（バッテリ）からの電力供給によって動作する場合の動作周波数を４Ｍとして設定し、図１に示す外部機器１３２を介する電力供給が開始されたことが検出されると、動作周波数を１６Ｍに設定する。バッテリ駆動の場合は低周波数駆動とすることでバッテリの寿命を延ばすことができるという効果がある。外部からの電力供給が可能な状態ではバッテリの寿命を考慮する必要がないため高周波での駆動を行ない、高速な処理に対応可能とする。なお、４Ｍと１６Ｍの切り替え例は一例であり、それぞれの電源種類、データ処理の種類に応じた最適な周波数を設定することが好ましい。
【００４２】
次に、図３以下を参照して、本発明の情報処理装置の１つの実施例として、バッテリ駆動の場合はＧＰＳ（Ｇｌｏｂａｌ  Ｐｏｓｉｔｉｏｎｉｎｇ  Ｓｙｓｔｅｍ）として機能し、外部機器からの電力供給がなされる場合は、外部機器からアクセス可能な記憶装置（メモリ）として機能する情報処理装置の構成例について説明する。
【００４３】
図３は、ＧＰＳ装置および記憶装置の２つの機能を供給電源の切り替えに応じて切り替える構成を持つ情報処理装置３００の構成を示すブロック図である。情報処理装置３００は装置機能実行部３１０、電源制御部３２０、インタフェース（Ｉ／Ｆ）３３０を有する。
【００４４】
装置機能実行部３１０は、データ処理部３１１、記憶部（メモリ）３１２、アンテナ３１３、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６を有する。
【００４５】
電源制御部３２０は、バッテリとしての電源部３２１、スイッチ３２２、電圧制御部（ＤＣＤＣ）３２３、電圧制御部（ＲＥＧ）３２４を有する。インタフェース（Ｉ／Ｆ）３３０は例えばＵＳＢインタフェースであり、ＰＣなどの外部機器に接続されることで、情報処理装置３００に対する電力が供給され、情報処理装置３００と外部機器間のデータ入出力が可能となる。
【００４６】
電源制御部３２０の電源部３２１は、図１における電源部１３１に相当し、電源部３２１は、スイッチ３２２を介して電圧制御部（ＤＣＤＣ）３２３に接続されている。電圧制御部（ＤＣＤＣ）３２３は図１の第１入力電圧制御部１２１に相当し、電圧制御部（ＤＣＤＣ）３２３は、電源部３２１からの入力電圧を予め定められた規定電圧に変換して、装置機能実行部３１０に入力する。なお、スイッチ３２２は、装置機能実行部３１０のデータ処理部３１１によって制御される。データ処理部３１１は、図２を参照して説明した実行機能制御部２１１、動作周波数制御部２１２を有するデータ処理部である。
【００４７】
データ処理部３１１は、Ｉ／Ｆ（ＵＳＢ接続部）３３０を介して外部機器からの電力供給が開始されたことを検出すると、スイッチ３２２を制御して電源部３２１からの電力供給を遮断し、外部機器からの電力供給が停止されるとスイッチ３２２を制御して電源部３２１からの電力供給を可能とする。なお、電源ボタン３２５は、ユーザによって操作されるボタンであり、電源ボタンがＯＮの状態である場合にのみ電源部３２１からの電力供給が可能となる。
【００４８】
外部機器がＩ／Ｆ３３０に接続され、外部機器からの電力供給が実行される場合は、Ｉ／Ｆ３３０からの電圧は、電圧制御部（ＲＥＧ）３２４によって所定電圧に変換されて装置機能実行部３１０に入力される。電圧制御部（ＲＥＧ）３２４は、図１に示す第２入力電圧制御部１２２に相当する。
【００４９】
装置機能実行部３１０のデータ処理部３１１は、先に図２を参照して説明した実行機能制御部２１１、動作周波数制御部２１２を有し、Ｉ／Ｆ３３０を介する外部機器からの電力供給状態にあるか、電源部３２１からの電力供給状態にあるかに応じて装置機能実行部３１０において実行する機能を変更し、動作周波数を変更する。
【００５０】
具体的には、電源部３２１からの電力供給状態にある場合は、アンテナ３１３、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６における処理を実行して、ＧＰＳ装置として機能し、衛星からの位置情報の取得を実行し、取得した位置情報を記憶部（メモリ）３１２に格納する処理を実行する。
【００５１】
一方、Ｉ／Ｆ３３０を介する外部機器からの電力供給状態にある場合は、アンテナ３１３、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６における処理を停止して、外部機器による記憶部（メモリ）３１２へのアクセスを許容し、外部機器の利用可能な記憶装置として機能する。
【００５２】
なお、装置機能実行部３１０が、電源部３２１からの電力供給状態にあり、ＧＰＳ装置として機能する場合は、データ処理部３１１の動作周波数制御部（図２参照）は、装置機能実行部３１０の実行する処理の動作周波数を４Ｍとして設定する。すなわち、アンテナ３１３、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６を利用した衛星からの位置情報取得、取得した位置情報の記憶部（メモリ）３１２への記録処理、これら一連の処理の動作周波数を４Ｍとして設定する。
【００５３】
一方、装置機能実行部３１０が、Ｉ／Ｆ３３０を介する外部機器からの電力供給状態にあり、外部機器の利用可能な記憶装置として機能する場合は、処理の動作周波数を１６Ｍとして設定する。すなわち、外部機器からの記憶部（メモリ）３１２へのデータ記録処理あるいは読み取り処理、Ｉ／Ｆ３３０を介するデータ転送処理などを１６Ｍの動作周波数に基づく処理として実行する。
【００５４】
図４に示すように、情報処理装置が電源部３２１からの電力供給状態にあり、ＧＰＳ装置として機能する場合は、Ｉ／Ｆ３３０、電圧制御部３２４は、処理停止状態となり、その他の処理ブロックのみが機能し、電源部３２１からの電力供給を受けて比較的遅い動作周波数の下にデータ処理を実行してＧＰＳ装置として利用される。
【００５５】
情報処理装置がＧＰＳ装置として機能する場合の処理について、図５を参照して説明する。情報処理装置がＧＰＳ装置として機能する場合、情報処理装置３００のアンテナ３１３は、宇宙空間においてＧＰＳ位置情報を送信するＧＰＳ衛星４０１ａ，４０１ｂ，４０１ｃ・・からの電波を受信し、地球上における現在の緯度経度高度座標、および受信時刻を取得する。
【００５６】
宇宙空間に位置する複数のＧＰＳ衛星の各々からは、宇宙空間のＧＰＳ衛星の位置を表す位置情報および時間情報を含む航法メッセージが送信されている。情報処理装置３００の位置情報算出部３１６は、この航法メッセージから位置情報を割り出す。宇宙空間のＧＰＳ衛星の送信する航法メッセージには、衛星の位置情報としての天体暦データ（アルマナック（軌道暦）およびエフェメリス（衛星暦））および信号送信時刻情報が含まれる。
【００５７】
情報処理装置３００の位置情報算出部３１６は、２次元的な位置と時間（ｘ、ｙ、ｔ）を求める。２次元的な位置を求めるためには、少なくとも３個のＧＰＳ衛星の捕捉処理が必要である。すなわち、位置が確認された少なくとも３個のＧＰＳ衛星から航法メッセージを受信することが必要となる。そして、これら少なくとも３個のＧＰＳ衛星からの受信情報（航法メッセージ）を用いて三角測量法を適用して位置を決定する。
【００５８】
三角測量法を用いて現在の位置を決定するステップは、
［ステップ１］ＧＰＳ衛星捕捉処理
航法メッセージを受信可能な少なくとも３個のＧＰＳ衛星からのデータ受信を行い各ＧＰＳ衛星の位置を確認する。
［ステップ２］ＧＰＳモジュール位置決定処理
各ＧＰＳ衛星までの距離を算出し、地球の中心に対する現在位置を、三角測量法に基づいて算出する。
【００５９】
上述した処理ステップを実行して算出した位置情報は、時間情報に対応付けられて記憶部（メモリ）３１２に記録される。
【００６０】
一方、情報処理装置がＩ／Ｆ３３０を介する外部機器からの電力供給状態にあり、外部機器の利用可能な記憶装置として機能する場合は、図６に示すように、アンテナ３１３、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６、電源部３２１、スイッチ３２２、電圧制御部（ＤＣＤＣ）３２３は、処理停止状態となり、その他の処理ブロックのみが機能し、Ｉ／Ｆ３３０を介して外部機器からの電力供給を受けて比較的早い動作周波数の下にデータ処理を実行して外部機器の利用可能な記憶装置として機能する。
【００６１】
すなわち、図７に示すように、ＵＳＢケーブル４２２を介して外部機器としてのＰＣ４２１が情報処理装置３００に接続され、情報処理装置３００の記憶部３１２がＰＣ４２１によってアクセス可能なメモリ領域として利用されることになる。
【００６２】
情報処理装置３００を外部機器としてのＰＣ４２１によって記憶装置として利用する場合の一利用例について、図８を参照して説明する。例えば、外部機器としてのＰＣ４２１は、デジタルカメラによって撮影された画像データファイルをＰＣ内のハードディスクに格納している。ＰＣ内のハードディスクのＰＣ格納データ５２１は撮影データである画像データとその属性データである撮影日時情報を対応付けたデータである。
【００６３】
ＰＣ４２１において実行するアプリケーションは、ＵＳＢ接続された情報処理装置３００の記憶部３１２に格納されたＧＰＳ記録データ５０１を読み出す。ＧＰＳ記録データは、位置情報の取得日時と、位置情報（経度、緯度）が対応付けられたデータである。
【００６４】
ＰＣ４２１のアプリケーションは、デジタルカメラによって撮影された画像データの属性データとしての撮影日時情報に最も近い位置情報取得日時を持つＧＰＳ記録データ５０１を選択し、その位置情報をデジタルカメラによって撮影された画像データの撮影位置情報として記録する。すなわち、図に示すＰＣ格納データ５２２のように、画像データに対応する属性情報として、撮影日時情報および撮影位置情報を設定したデータを生成することができる。なお、上述した処理例は、情報処理装置３００の利用例の１つであり、この他にも、様々な利用例が実行可能である。
【００６５】
次に、図３以下を参照して説明したＧＰＳ装置および記憶装置の２つの機能を供給電源の切り替えに応じて切り替える構成を持つ情報処理装置３００の状態遷移シーケンスについて、図９を参照して説明する。上述した説明では、情報処理装置３００は、電源部３２１からの電力供給状態にある場合はＧＰＳ装置として機能し、Ｉ／Ｆ３３０を介する外部機器からの電力供給状態にある場合は、外部機器の利用可能な記憶装置として機能するという２つの機能の切り替えを行なうとして説明したが、より具体的には、図９に示すような様々なモードを有し、これらの各モードを様々な条件に基づいて遷移する。これらの遷移は、データ処理部３１１において制御される。
【００６６】
図９を参照してモード遷移について説明する。ステップＳ１００は電源ＯＦＦ状態である。この電源ＯＦＦ状態は、図３に示す電源ボタン３２５がオフであり、Ｉ／Ｆ３３０を介して外部機器からの電力が供給されていない状態であり、ＧＰＳとしても記憶装置としても機能しない状態である。
【００６７】
この状態において、図３に示す電源ボタン３２５がオンされるか、あるいは、Ｉ／Ｆ３３０を介して外部機器からの電力が供給されると、ステップＳ１０１のファイルチェックモードに移行する。このファイルチェックモードは、ＧＰＳ装置としての位置情報取得処理を開始するために必要なファイルがそろっているか否かを検証するモードである。
【００６８】
ステップＳ１０１におけるファイルチェックモードにおいてエラーが検出されない場合は、ステップＳ１０２またはステップＳ１０３に移行する。ＵＳＢ接続がなされ、ＵＳＢを介する電力供給がなされている場合は、ステップＳ１０２のＵＳＢモードに移行する。このＵＳＢモードは、情報処理装置３００が外部機器の利用可能な記憶装置として機能するモードである。
【００６９】
ステップＳ１０２のＵＳＢモードにおいて、ＵＳＢ接続が遮断された場合は、ステップＳ１００に戻る。ただしこの時点で、電源ボタン３２５がオンとなっていれば、ステップＳ１０１からステップＳ１０３に進みＧＰＳサーチモードに移行することになる。
【００７０】
ステップＳ１０３のＧＰＳサーチモードは、先に、図５を参照して説明した三角測量法を用いた処理ステップ、すなわち、
［ステップ１］ＧＰＳ衛星捕捉処理
航法メッセージを受信可能な少なくとも３個のＧＰＳ衛星からのデータ受信を行い各ＧＰＳ衛星の位置を確認する。
［ステップ２］ＧＰＳモジュール位置決定処理
各ＧＰＳ衛星までの距離を算出し、地球の中心に対する現在位置を、三角測量法に基づいて算出する。
これらの処理の［ステップ１］を実行するモードである。
【００７１】
この処理が終了すると、ステップＳ１０４のＧＰＳ計測モードで、上記［ステップ２］ＧＰＳモジュール位置決定処理を実行する。この処理において、先に図８を参照して説明した位置情報取得日時と、取得位置情報を記憶部３１２に記録する処理が実行される。
【００７２】
ステップＳ１０３のＧＰＳサーチモード、ステップＳ１０４のＧＰＳ計測モード、これらのいずれの状態であっても、ＵＳＢ接続によって、ＵＳＢを介する電力供給が検出されると、ステップＳ１０２のＵＳＢモードに移行し、また、電源ボタンが押下されると、ステップＳ１００の電源オフ状態に移行する。また、リセットボタンが押下されると、フォーマットモードに移行する。ステップＳ１０６のフォーマットモードでは、ＧＰＳ計測に必要な初期設定としてのフォーマット処理が実行され、フォーマット処理が終了すると、ステップＳ１０３のＧＰＳサーチモードが開始される。
【００７３】
また、ステップＳ１０３のＧＰＳサーチモード、ステップＳ１０４のＧＰＳ計測モード、これらのいずれの状態であっても、ローバッテリー、すなわちバッテリの残りが少なくなった場合や、ファイルエラーが発生した場合は、ステップＳ１０５のエラー表示モードに移行し、ユーザに対するエラー通知が実行される。
【００７４】
また、ステップＳ１０１におけるファイルチェックモードにおいて、ＵＳＢが非接続状態にあり、ファイルエラーが検出された場合にもステップＳ１０５のエラー表示モードに移行する。ステップＳ１０５のエラー表示モードは、ＧＰＳ計測が不可能なエラー状態にあることをユーザに通知するメッセージを提示するモードである。なお、このエラー通知は、表示部に対するエラー表示、あるいはアラーム出力などによって行なわれる。ステップＳ１０５のエラー表示モードにおいて、ユーザがリセットボタンを押下することで、ステップＳ１０６のフォーマットモードに移行し、ＧＰＳ計測に必要な初期設定としてのフォーマット処理が実行される。フォーマットが終了すると、ステップＳ１０３のＧＰＳサーチモードに移行する。
【００７５】
このように、情報処理装置３００は、原則的には、先に説明したように、電源部３２１からの電力供給状態にある場合はＧＰＳ装置として機能し、Ｉ／Ｆ３３０を介する外部機器からの電力供給状態にある場合は、外部機器の利用可能な記憶装置として機能するという２つの機能の切り替えを行ないながら、図９に示す複数のモードを様々な条件に従って移行する。
【００７６】
上述した情報処理装置の例は、複数の電力供給源の切り替えによってＧＰＳ装置と記憶装置との機能切り替えが行なわれる装置例であるが、この他の本発明の実施形態としては、ＵＳＢ端子のついたメモリ搭載録音機や、メモリ内蔵画像レコーダーなどがある。例えば、音声データまたは画像データの取得処理を実行するデータ入力部を有し、データ処理部において、情報処理装置のインタフェースを介する外部機器からの電力供給がない状態においては、データ入力部を介して入力される音声データまたは画像データを記憶部に記録する処理を実行する。情報処理装置のインタフェースを介する外部機器からの電力供給がある状態においては、記憶部に対する外部機器からのアクセスを可能とした記憶装置として機能させる。
【００７７】
すなわち、ＵＳＢ端子のついたメモリ搭載録音機は、電池駆動の際には普通に録音できる録音機器として機能し、ＵＳＢが接続されＵＳＢからの電力供給を受ける場合は、メモリに格納された録音済みデータを外部機器から取得可能とし、かつ容量の範囲内で音楽のみならず、様々なデータファイルを記録可能とした記憶装置として機能する構成である。
【００７８】
また、メモリ内蔵画像レコーダーは、ＡＣ電源やバッテリによる駆動時は、普通に録画できる録画機器として機能し、ＵＳＢが接続され、ＵＳＢからの電力供給を受ける場合は、メモリに格納された録画済みデータを外部機器から取得可能とし、かつ容量の範囲内で画像のみならず、様々なデータファイルを記録可能とした記憶装置として機能する構成である。
【００７９】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８０】
なお、上述した実施例では、撮像装置等の情報処理装置と、ＰＣやプリンタなどの外部機器との通信手段としてＵＳＢケーブルを適用した処理例について説明したが、情報処理装置と外部機器としてのＰＣやプリンタとの接続はＵＳＢケーブルに限らず、その他の有線、無線の通信手段を適用した構成において上述した処理と同様の処理を実行する構成としてもよい。
【００８１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８２】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８３】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８５】
以上、説明したように、本発明の一実施例の構成によれば、例えば内部バッテリによる電力供給と、ＵＳＢを介する外部機器からの電力供給など、複数の異なる電力供給源を切り替えて動作可能な情報処理装置において、電力供給源の切り替えを検出して、電力供給源の切り替えに基づいて装置の実行機能を変更する構成としたので、１つの装置によって複数の異なる機能を実現することが可能となる。また、本発明の一実施例構成においては、例えばバッテリ駆動の際には動作周波数を低くする設定としたのでバッテリ寿命を長くすることが可能となる。
【図面の簡単な説明】
【００８６】
【図１】本発明の情報処理装置の一実施例構成について説明する図である。
【図２】本発明の情報処理装置のデータ処理部の構成例について説明する図である。
【図３】本発明の一実施例構成であるＧＰＳ装置と記憶装置の機能を実行する情報処理装置の構成例について説明する図である。
【図４】本発明の一実施例構成として、ＧＰＳ装置と記憶装置の機能を実行する情報処理装置においてＧＰＳ装置として機能する場合の設定について説明する図である。
【図５】本発明の一実施例構成であるＧＰＳ装置と記憶装置の機能を実行する情報処理装置においてＧＰＳ装置として機能する場合の処理について説明する図である。
【図６】本発明の一実施例構成であるＧＰＳ装置と記憶装置の機能を実行する情報処理装置において記憶装置として機能する場合の設定について説明する図である。
【図７】本発明の一実施例構成であるＧＰＳ装置と記憶装置の機能を実行する情報処理装置において記憶装置として機能する場合の処理について説明する図である。
【図８】本発明の一実施例構成であるＧＰＳ装置と記憶装置の機能を実行する情報処理装置において記憶装置として機能する場合の具体的な処理例について説明する図である。
【図９】本発明の一実施例構成であるＧＰＳ装置と記憶装置の機能を実行する情報処理装置におけるモード遷移について説明する図である。
【符号の説明】
【００８７】
１００  情報処理装置
１１０  装置機能実行部
１１１  データ処理部
１１２  記憶部
１１３  受信部
１２１  第１入力電圧制御部
１２２  第２入力電圧制御部
１２３  インタフェース
１３１  電源部
１３２  外部機器
２０１  電力供給源検出部
２０２  制御部
２０３  データ処理実行部
２０４  発信子
２１１  実行機能制御部
２１２  動作周波数制御部
３００  情報処理装置
３１０  装置機能実行部
３１１  データ処理部
３１２  記憶部（メモリ）
３１３  アンテナ
３１４  増幅部（ＬＮＡ：Ｌｏｗ  Ｎｏｉｓｅ  Ａｍｐｌｉｆｉｅｒ）
３１５  フィルタ処理部（ＳＡＷ：Ｓｕｒｆａｃｅ  Ａｃｏｕｓｔｉｃ  Ｗａｖｅ）
３１６  位置情報算出部（ＧＰＳ  ＩＣ）
３２０  電源制御部
３２１  電源部
３２２  スイッチ
３２３  電圧制御部（ＤＣＤＣ）
３２４  電圧制御部（ＲＥＧ）
３２５  電源ボタン
３３０  インタフェース
４０１  ＧＰＳ衛星
４２１  ＰＣ
４２２  ＵＳＢケーブル
５０１  ＧＰＳ記録データ
５２１，５２２  ＰＣ格納データ
【図１】
2007226412.tif 000003
【図２】
2007226412.tif 000004
【図３】
2007226412.tif 000005
【図４】
2007226412.tif 000006
【図５】
2007226412.tif 000007
【図６】
2007226412.tif 000008
【図７】
2007226412.tif 000009
【図８】
2007226412.tif 000010
【図９】
2007226412.tif 000011